(57)【特許請求の範囲】
【請求項１】
紙幣入金口に投入された紙幣を１枚ずつ繰込んで識別し、種類別に分類して一時保留するとともに、一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、前記複数の金種別スタッカから選択的に紙幣を一括して取出し、前記小束作成手段へ搬送する一括搬送手段と、前記小束作成手段により作成された小束の小束収納部または回収部の少なくとも一方と、前記小束作成手段により作成された小束を前記小束収納部または前記回収部へ搬送する小束搬送手段と、前記金種別一時保留部および金種別スタッカの各在高を計数記憶する在高記憶手段と、同一金種の金種別一時保留部および金種別スタッカの在高の合計が小束作成単位枚数に達したときは紙幣の繰込みを一旦中断して当該金種の一時保留部の紙幣を金種別スタッカへ収納させたのちに紙幣の繰込みを続行させるとともに、一括搬送手段、小束作成手段、小束搬送手段を作動させて当該金種紙幣の小束を作成する制御を行う制御部とを具有することを特徴とする紙幣処理装置。
【請求項２】
紙幣入金口に投入された紙幣を１枚ずつ繰込んで識別し、種類別に分類して一時保留するとともに、操作者の入金承認に基づいて一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、この小束作成手段により作成された小束を種類別に収納する複数の小束収納部と、前記複数の金種別スタッカから選択的に紙幣を一括して取出し、前記小束作成手段へ搬送する一括搬送手段と、前記小束作成手段により作成された小束を前記複数の小束収納部へ振り分け搬送する小束搬送手段と、前記金種別一時保留部および金種別スタッカの各在高を計数記憶する在高記憶手段と、同一金種の金種別一時保留部および金種別スタッカの在高の合計が小束作成単位枚数以下のときは操作者の入金承認がある毎に各一時保留部の紙幣を各金種別スタッカに収納させ、その合計が小束作成単位枚数に達したときは紙幣の繰込みを一旦中断して操作者に当該金種紙幣の途中収納の承認を促し、承認されたときは当該金種紙幣のスタッカへ収納させたのちに紙幣の繰込みを続行させるとともに、一括搬送手段、小束作成手段、小束搬送手段を作動させて当該金種紙幣の小束を作成し、該当する小束収納部へ収納させる入金制御を行う制御部とを具有することを特徴とする紙幣処理装置。
【請求項３】
紙幣入金口に投入された紙幣を１枚ずつ繰込んで識別し、種類別に分類して一時保留するとともに、操作者の入金承認に基づいて一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、入金紙幣中、再使用に不適な損券紙幣を一時保留する損券一時保留部と、一時保留された損券紙幣を収納するとともに１枚ずつの繰出し機能を有する損券収納繰出し部と、この損券収納繰出し部から繰出された損券紙幣を入金紙幣の搬送路へ合流させる損券搬送路と、所定枚数の紙幣に帯体を巻回して小束を作成する小束作成手段と、この小束作成手段により作成された小束の回収部と、前記複数の金種別スタッカから選択的に紙幣を一括して取出し、前記小束作成手段へ搬送する一括搬送手段と、前記小束作成手段により作成された小束を前記回収部へ搬送する小束搬送手段と、前記複数の金種別スタッカの紙幣がすべて回収されたのちの損券紙幣の回収処理につき前記損券収納繰出し部から損券紙幣を繰出し前記損券搬送路を経由して前記金種別一時保留部に分類集積させ、小束作成単位枚数が集積される毎にその集積紙幣を金種別スタッカへ収納させるとともに、一括搬送手段、小束作成手段、小束搬送手段を作動させて当該金種の損券紙幣の小束を作成し、前記回収部へ回収する回収制御を行う制御部とを具有することを特徴とする紙幣処理装置。
【発明の詳細な説明】
【０００１】
【発明の属する技術分野】
本発明は、銀行等の金融機関において使用される紙幣入金機や紙幣入金整理機等の紙幣の入金処理を行う紙幣処理装置に係り、特に所定枚数の紙幣を結束して小束を作成する小束作成機能を有する紙幣処理装置に関する。
【０００２】
【従来の技術】
従来、紙幣の入金処理を行う処理装置であってかつ紙幣を所定枚数ずつ結束する小束作成機能を備えた装置としては、例えば特開昭６１−１３６１９１号公報に示される自動入金装置のように、同一金種の紙幣が所定枚数入金される都度結束を行い、小束状として保管するようにした束保管優先タイプのものと、特開昭６４−２６９９７号公報に示される紙幣回収処理装置のように、通常はバラ状態で金種別に分類して保管しておき、バラ状態の紙幣が所定枚数以上になった場合にバラ状態の紙幣を所定枚数繰出して結束し、小束状として保管するようにしたバラ保管優先タイプのものがある。
【０００３】
前者の束保管優先タイプのものは、バラ紙幣を収納するとともに収納紙幣を１枚ずつ繰出すことができるバラ紙幣収納繰出し部を金種別に備え、入金口に投入された紙幣を識別したのちにバラ紙幣収納繰出し部へ分類して収納するようになっており、そして何れかの金種のバラ紙幣収納部が１００枚に達していればそのバラ紙幣収納部から紙幣を１００枚繰出して小束作成部へ搬送し、これを小束状に結束して小束収納部に収納し保管するようになされている。この小束作成処理は、入金取引が行われるごとに１００枚に達しているバラ紙幣収納繰出し部がないか否かをチェックして行われる。
【０００４】
また後者のバラ保管優先タイプのものは、バラ紙幣を一時的に取出し可能に集積する金種別の一時保留部と、その一時保留部の紙幣を受取って収納するとともに収納紙幣を１枚ずつ繰出すことができる金種別のバラ紙幣収納繰出し部とを有し、入金口に投入された紙幣を識別したのちに金種別の一時保留部に集積し、操作者の入金承認に基づいて一時保留紙幣をバラ紙幣収納繰出し部へ収納するようになされている。そして金種別のバラ紙幣収納繰出し部の紙幣が満杯に近ずくとそのバラ紙幣を自動的に繰出して小束作成部へ搬送し、そのバラ紙幣を小束状に結束して小束収納部に収納し、保管するようになされている。
【０００５】
【発明が解決しようとする課題】
しかしながら前記の束保管優先タイプのものでは、入金紙幣を一時保留することなく直接金種別のバラ紙幣収納繰出し部へ収納するため、入金処理中に紙幣の詰まりなどのトラブルが発生した場合、既に収納されている紙幣と今回入金された分の紙幣との区別がつかなくなり、トラブルの対処ができなくなるという極めて重大な問題を生じる可能性がある。
【０００６】
また１００枚に達しているバラ紙幣収納繰出し部の紙幣を小束にする際に紙幣を１枚ずつ繰出して小束作成手段へ搬送する構造であるため、金種別のバラ紙幣収納繰出し部のすべてに紙幣の繰出し機構が必要となり、その結果、機構的に複雑になってコストが嵩むばかりでなく、入金処理が終了したのちに１金種ずつ繰出して小束作成処理がなされているためその処理に時間が掛かるという問題があった。
【０００７】
一方、前記バラ保管優先タイプのものは、入金紙幣を一時保留し、ついで操作者の入金承認に基づいて一時保留紙幣をバラ紙幣収納繰り出し部へ収納するようにしているので、入金処理中に紙幣の詰まりなどのトラブルが発生した場合でも今回入金した分の紙幣だけを区別して取出すことはできるが、各金種について一時保留部とバラ紙幣収納繰出し部とを有するので装置が著しく大型化してしまうという問題点がある。
【０００８】
また前述の束保管優先タイプのものと同様に、バラ紙幣収納繰出し部の紙幣を小束にするために紙幣を１枚ずつ繰出して小束作成手段へ搬送する構造とされており、それ故金種別のバラ紙幣収納繰出し部のすべてに紙幣繰出し機構が必要であり、その結果、機構的に複雑となってコストが嵩むとともに、入金処理とは別の時期に１金種ずつ繰出して小束作成処理を行うため処理に時間が掛るという問題がある。
【０００９】
さらに最近の紙幣処理装置では、入金紙幣のうち損券を区別して取扱うことが多くなっているが、前述の従来の装置では損券を区別して収納することはできたとしても、その損券を正券紙幣と同じように小束状態にして回収することはできなかった。
【００１０】
【課題を解決するための手段】
本発明は、比較的簡単な構造により、入金処理中に紙幣詰り等のトラブルが発生した場合であっても、既に収納されている紙幣と今回入金された分の紙幣とを区別して取出すことができるとともに、入金処理と並行して小束の作成処理を行うようにして処理時間の効率化を図ることができるようにすること、および入金紙幣のうちの損券を正常紙幣と同様に小束状態として回収することができるようにすることを課題としてなされたものである。
【００１１】
上記課題を解決するための手段として本発明は、紙幣入金口に投入された紙幣を１枚ずつ繰込んで識別し、種類別に分類して一時保留するとともに、一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、前記複数の金種別スタッカから選択的に紙幣を一括して取出し、前記小束作成手段へ搬送する一括搬送手段と、前記小束作成手段により作成された小束の小束収納部または回収部の少なくとも一方と、前記小束作成手段により作成された小束を前記小束収納部または前記回収部へ搬送する小束搬送手段と、前記金種別一時保留部および金種別スタッカの各在高を計数記憶する在高記憶手段と、同一金種の金種別一時保留部および金種別スタッカの在高の合計が小束作成単位枚数に達したときは紙幣の繰込みを一旦中断して当該金種の一時保留部の紙幣を金種別スタッカへ収納させたのちに紙幣の繰込みを続行させるとともに、一括搬送手段、小束作成手段、小束搬送手段を作動させて当該金種紙幣の小束を作成する制御を行う制御部とを具有せしめたことにある。
また、上記課題を解決するための手段として本発明は、紙幣入金口に投入された紙幣を１枚ずつ繰込んで識別し、種類別に分類して一時保留するとともに、操作者の入金承認に基づいて一時保留紙幣を収納部へ収納する紙幣処理装置において、入金可能な紙幣を一時保留する複数の金種別一時保留部と、これら金種別一時保留部に対応して設けられ、一時保留紙幣を収納するとともにその収納紙幣を一括して取出し可能な複数の金種別スタッカと、所定枚数の紙幣に帯体を巻回して小束を作成する小束作成手段と、この小束作成手段により作成された小束を種類別に収納する複数の小束収納部と、前記複数の金種別スタッカから選択的に紙幣を一括して取出し、前記小束作成手段へ搬送する一括搬送手段と、前記小束作成手段により作成された小束を前記複数の小束収納部へ振り分け搬送する小束搬送手段と、前記金種別一時保留部および金種別スタッカの各在高を計数記憶する在高記憶手段と、同一金種の金種別一時保留部および金種別スタッカの在高の合計が小束作成単位枚数以下のときは操作者の入金承認がある毎に各一時保留部の紙幣を各金種別スタッカに収納させ、その合計が小束作成単位枚数に達したときは紙幣の繰込みを一旦中断して操作者に当該金種紙幣の途中収納の承認を促し、承認されたときは当該金種紙幣のスタッカへ収納させたのちに紙幣の繰込みを続行させるとともに、一括搬送手段、小束作成手段、小束搬送手段を作動させて当該金種紙幣の小束を作成し、該当する小束収納部へ収納させる入金制御を行う制御部とを具有せしめたことにある。
【００１２】
また前記の金種別一時保留部および金種別スタッカを持ち、入金紙幣中、再使用に不適な損券紙幣を一時保留する損券一時保留部と、一時保留された損券紙幣を収納するとともに１枚ずつの繰出し機能を有する損券収納繰出し部と、この損券収納繰出し部から繰出された損券紙幣を入金紙幣の搬送路へ合流させる損券搬送路と、所定枚数の紙幣に帯体を巻回して小束を作成する小束作成手段と、この小束作成手段により作成された小束の回収部と、前記複数の金種別スタッカから選択的に紙幣を一括して取出し、前記小束作成手段へ搬送する一括搬送手段と、前記小束作成手段により作成された小束を前記回収部へ搬送する小束搬送手段と、前記複数の金種別スタッカの紙幣がすべて回収されたのちの損券紙幣の回収処理につき前記損券収納繰出し部から損券紙幣を繰出し前記損券搬送路を経由して前記金種別一時保留部に分類集積させ、小束作成単位枚数が集積される毎にその集積紙幣を金種別スタッカへ収納させるとともに、一括搬送手段、小束作成手段、小束搬送手段を作動させて当該金種の損券紙幣の小束を作成し、前記回収部へ回収する回収制御を行う制御部とを具有せしめたことを請求項３とするものである。
【００１３】
【発明の実施の形態】
以下、本発明を図面に示す実施の形態を参照して説明する。
図１は本発明による入金処理装置の一実施形態の略示断面を示すもので、装置本体１の上部には入金すべき紙幣Ｐを立位姿勢でセットする入金口２が設けられ、この入金口２には最前位の紙幣Ｐを１枚ずつ繰込むためのけり出しローラ３、フィードローラ４、ゲートローラ５等からなる繰込み手段６が設けられており、紙幣Ｐの背後を押圧する押圧部材７により最前位の紙幣Ｐが繰込み手段６に所定の押付け力により当接されるようになっている。
【００１４】
前記繰込み手段６により繰込まれた紙幣を搬送する搬送路８は分岐爪９を介して水平な搬送路１０に接続され、この搬送路１０中には、紙幣Ｐの真偽、金種、正損等を判別する識別部１１が設けられ、この識別部１１の下流位置には前記入金口２の背後位置に設けられているリジェクト口１２へリジェクト紙幣と識別された紙幣を繰込むための搬送路１３が分岐爪１４を介して分岐されている。
【００１５】
上記分岐爪１４より下流の搬送路１０には表裏反転部１５が設けられ、これに続く搬送路１０の末端には損券一時保留部１６が設けられており、この損券一時保留部１６の他側には該保留部１６から一時保留されている損券紙幣Ｐ′を１枚ずつ繰出すためのけり出しローラ１７、フィードローラ１８、ゲートローラ１９等からなる繰出し手段２０が設けられ、損券搬送路２１を通じて入金用の搬送路１０に合流されるようになっている。
【００１６】
上記損券一時保留部１６の下部には、該保留部１６への一時保留時に底部を構成している底板２２，２２が外側方へ移動することにより一時保留されている損券紙幣Ｐ′を下方へ移動させて収納する収納部２３が配置され、この収納部２３内には昇降自在な受板２４があってこの受板２４上に損券紙幣Ｐ′を集積状態で受取って収納し、繰出し時には受板２４が上昇して前記繰出し手段２０に最上位の損券紙幣を当接させることにより１枚ずつ繰出せるように構成されており、これらにより損券収納繰出し部２５を構成している。
【００１７】
前記搬送路１０の途中部には分岐爪２６があって金種別スタッカ２７，２８，２９への搬送路３０が分岐され、最上位のスタッカ２７が万円紙幣用、次のスタッカ２８が千円紙幣用、最下位のスタッカ２９が５千円紙幣用とされており、各スタッカ２７，２８，２９の上部には一時保留部３１，３２，３３が設けられ、スタッカ２７，２８の一時保留部３１，３２へは前記搬送路３０から分岐爪３４，３５を介して分岐する搬送路が、最下位のスタッカ２９の一時保留部３３へは搬送路３０の末端が臨ませてある。
【００１８】
上記各一時保留部３１，３２，３３もその底板３６，３６が外側方へ移動することによりスタッカ２７，２８，２９内に収納することができるようになっており、このスタッカ２７，２８，２９の前記搬送路３０とは反対側の側面は、下端を支点として外側方へ転回し得る扉３７，３７，３７により側壁が構成され、この扉３７，３７，３７を水平乃至はそれより下位に開放したときスタッカ２７，２８，２９内の紙幣Ｐを側方から取出せるようになっている。
【００１９】
上記スタッカ２７，２８，２９の扉３７，３７…側の側部にそってスタッカ２７，２８，２９から所定枚数の紙幣Ｐを把持して取出し、小束作成手段４０の結束位置へ（図１示のＡ位置）へ搬送するとともに、結束済の小束搬送手段４１へ受渡す一括搬送手段４２が配設されている。
【００２０】
この一括搬送手段４２は、スタッカ２７，２８，２９内の所定枚数の紙幣Ｐを両面から挟持する一対のアーム４３，４３を有し、このアーム４３，４３は縦方向に延びるガイドロッド４４にそって上下方向に移動自在とされ、このガイドロッド４４を支持する枠体４５はガイドレール４６，４６にそって水平方向に移動自在とされており、その移動ストロークは図１示の位置からスタッカ２７，２８，２９内の紙幣Ｐを把持する位置までとされ、図示しない駆動手段により各部が必要な動作を行うようになされる。
【００２１】
前記の小束搬送手段４１は、前記一括搬送手段４２のアーム４３，４３により把持された小束を受取ってガイドレール４７によって水平方向に移動自在な小束保持部４８を有し、この小束保持部４８の下部両側には軸４９，４９を支点に図１の閉止位置から下部側方に回転した開放位置にわたり回動自在な保持部材５０，５０を備えており、前記ガイドレール４７より下方の位置には小束収納部５１，５２，５３が列設され、右端が万円紙幣用、中央が千円紙幣用、左端が５千円紙幣用とされている。これら小束収納部５１，５２，５３の内部には受板５４，５４…が昇降自在に設けられており、この受板上に小束Ｐａを受取って順次下降するようなっている。これら各部は図示しない駆動手段により必要な動作を行うようになされる。
【００２２】
この５千円紙幣の小束収納部５３に隣接した位置に取出し口５５が設けられ、常時はシャッタ板５６により閉鎖されており、受板５７により小束Ｐａを一旦受取って取出口５５の取出し位置へ搬送するようになされている。
【００２３】
図１において符号５８は制御部を示し、５９は操作部、６０は表示部を示している。また金種別一時保留部３１，３２，３３および損券一時保留部１６は、図示しないシャッタを開閉することにより外部から手で取出せるようになっている。
【００２４】
上記制御部５８は、図２に例示するようにＲＯＭ６１、ＲＡＭ６２、入金制御部６３、回収制御部６４を持ち、この制御部５８には表示部６０、操作部５９、在高記憶部６５、識別部１１が接続され、入金口２の繰込み部（繰込み手段６）、搬送部８，１０，１３，２１等、取出口部５５の動作、金種別一時保留部３１，３２，３３、金種別スタッカ２７，２８，２９、損券一時保留部１６、損券収納繰出し部２５、結束部（小束作成手段４０）、一括搬送部４２、小束搬送部４１、小束収納部５１，５２，５３を制御する。
【００２５】
前記在高記憶部６５は、図３に例示するように金種別スタッカおよび損券紙幣用スタッカの配列順に第１〜第４としてその一時保留部３１，３２，３３，１６およびスタッカ２７，２８，２９，２３内の紙幣枚数が記憶されるようになっている。
【００２６】
また表示部６０は、図４（Ａ），（Ｂ）に例示するような表示内容が表示される。
【００２７】
次に作用につき図５、図６のフローチャートと併せて説明する。
図５は入金処理時のフローを、図６は回収処理時のフローを示している。
〔入金処理〕
入金時には、入金口２に入金すべき紙幣Ｐをセットし、操作部５９の入金スタート釦を押す。続いてこの釦が押されたか否かが判断され（Ｓ1 ）、押されていれば入金口２に紙幣があるか否かが判断される（Ｓ2 ）。入金口２に上記のように紙幣Ｐがセットされていれば繰込み手段６が駆動され、１枚ずつの繰込みが行われる（Ｓ3 ）。
【００２８】
繰込まれた紙幣は搬送路８，１０を通って識別部１１へ送られ、ここで正常紙幣か否かが判断され（Ｓ4 ）、損券紙幣であれば分岐爪１４が切替って搬送路１３を通じリジェクト口１２へ送られて集積される（Ｓ5 ）。続いて上記Ｓ4 で正常紙幣と判断された紙幣は損券か否かが判断され（Ｓ6 ）、損券と判断された場合は分岐爪２６が切替って損券一時保留部１６へ送られて集積され（Ｓ7 ）、在高記憶部６５の損券一時保留部１６への在高が更新される（Ｓ8 ）。
【００２９】
一方、損券と判断されなかった紙幣は金種が判別され、万円か否かが判断される（Ｓ9 ）。万円紙幣であれば分岐爪３４が切替って万円紙幣用のスタッカ２７の一時保留部３１に送り込まれて集積され（Ｓ10）、万円一助保留部在高が更新される（Ｓ11）。
【００３０】
次いで５千円か否かが判断され（Ｓ9 ′）、５千円紙幣である場合は５千円紙幣用スタッカ２９の一時保留部３３へ集積され（Ｓ12）、５千円一時保留部在高が更新される（Ｓ13）。同様に千円紙幣である場合は分岐爪３が切替って千円紙幣用スタッカ２８の一時保留部３２へ集積され（Ｓ14）、千円一時保留部在高が更新される（Ｓ15）。
【００３１】
上記万円、５千円、千円紙幣用の各スタッカ２７，２８，２９内の在高と一時保留部３１，３２，３３の在高との合計が各スタッカにおいて１００枚に達したか否かがチェックされる（Ｓ16）。その枚数に達した場合は途中収納承認待の表示（Ｓ17）が図４（Ｂ）に示した内容で表示部６０に表示される。
【００３２】
この承認がなされたか否かが判断され（Ｓ18）、承認がなされた場合は該当する一時保留部の底板３６，３６がひらいてその上の紙幣をその下のスタッカへ移行させ（Ｓ19）、当該一時保留部の在高がクリアされ（Ｓ20）、該当スタッカの扉３７がひらいて一括搬送手段４２のアーム４３，４３が紙幣を把持して取出し、結束手段４０において結束が行われる（Ｓ21）。結束後の小束Ｐａは小束搬送手段４１の小束保持部４８へ受渡され、その小束の紙幣の金種に対応する小束収納部５１〜５３に収納される（Ｓ22）。
【００３３】
承認がなされなかった場合は、すべての一時保留紙幣を手で取出し（Ｓ23）、その抜取りが完了したか否かがチェックされ（Ｓ24）、抜取りが完了していれば各一時保留部の在高がクリアされる（Ｓ25）。
【００３４】
一方、前記ステップＳ2 で入金口２に紙幣なしと判断された場合は一時保留部に紙幣があるか否かがチェックされ（Ｓ26）、これがない場合は終了となる。有りの場合は入金額、承認待ちの状態表示（図４（Ａ）の表示内容）が表示部６０に表示され（Ｓ27）、次いで承認がなされたか否かが判断される（Ｓ28）。承認がなされた場合は各一時保留部の紙幣をスタッカへ移行させ（Ｓ29）、各一時保留部在高のクリアおよび各スタッカの在高が更新される（Ｓ30）。
〔回収処理〕
各スタッカから紙幣を回収する場合は、操作部５９の回収スタート釦が押されたか否かが判断され（Ｓ31）、押されていればスタッカ内の紙幣の有無が判断され（Ｓ32）、スタッカに紙幣がある場合にはその紙幣をすべてバラ状態で取出口５５へ搬送する（Ｓ33）。
【００３５】
次いで損券収納繰出し部２５に紙幣があるか否かが判断され（Ｓ34）、有の場合はその損券紙幣を繰出し（Ｓ35）、無の場合には一時保留部１６内に残存する紙幣をバラ状態で取出し（Ｓ36）、終了となる。
【００３６】
前記ステップＳ35により繰出された紙幣は万円か否かが判断され（Ｓ37）、万円紙幣であれば万円紙幣用スタッカ２７の一時保留部３１へ送入して集積し（Ｓ38）、万円紙幣の一時保留在高が更新される（Ｓ39）。
【００３７】
次いで５千円か否かが判断され（Ｓ37′）、５千円紙幣である場合は５千円紙幣用スタッカ２９の一時保留部３３へ送入して集積され（Ｓ40）、５千円紙幣の一時保留在高が更新される（Ｓ41）。
【００３８】
万円でも５千円でもない紙幣（千円紙幣）は千円紙幣用スタッカ２８の一時保留部３２へ送入されて集積され（Ｓ42）、千円紙幣の一時保留在高が更新される（Ｓ32）。
【００３９】
上記各一時保留部３１，３２，３３への集積枚数（一時保留在高）が１００枚に達したか否かが判断され（Ｓ44）、１００枚に達した一時保留部の紙幣はそのスタッカへ移動して収納される（Ｓ45）。そして当該一時保留在高がクリヤされ（Ｓ46）、その１００枚の紙幣を一括搬送手段４２のアーム４３，４３が取出して結束部４０において結束し（Ｓ47）、その小束は取出口５５へ運ばれて取出され、回収される（Ｓ48）。
【００４０】
【発明の効果】
以上説明したように本発明によれば、入金紙幣を既に収納されている紙幣とは分離した状態で一時保留するとともに、同一金種の紙幣が小束作成枚数に達した時点において入金処理と並行して小束の作成を行うようにしているので、入金処理時でのトラブルの対処が容易に行えると同時に回収処理を簡単に行うことができる。
【００４１】
特に多数のレジでの売上金を出納の専従操作者が入金するような場合や、夜間金庫に入金された現金を銀行の専従操作者が入金するような場合のように、専従操作者が比較的小口の入金処理を多数行うような場合にきわめて有効である。
【００４２】
また請求項３に記載の発明によれば、入金処理時に正券とは区別した損券を回収するとき人手を触れることなく金種別に区分し、かつ正常紙幣と同様に小束状態に結束して回収することができる。
【図面の簡単な説明】
【図１】本発明による紙幣処理装置の一実施形態を示す略示断面図。
【図２】同、制御部のブロック図。
【図３】図２における在高記憶部の記憶内容を示す説明図。
【図４】（Ａ），（Ｂ）は表示部の表示内容例を示す説明図。
【図５】入金処理のフローチャート。
【図６】回収処理のフローチャート。
【符号の説明】
１  装置本体
２  入金口
６  繰込み手段
１１  識別部
１２  リジエクト口
１６  損券一時保留部
２０  繰出し手段
２２  底板
２３  収納部
２４  受板
２５  損券収納繰出し部
２７，２８，２９  金種別スタッカ
３１，３２，３３  一時保留部
３６  底板
３７  扉
４０  小束作成手段
４１  小束搬送手段
４２  一括搬送手段
４３  アーム
４４  ガイドロッド
４６，４７  ガイドレール
４８  小束保持部
５０  保持部材
５１，５２，５３  金種別小束収納部
５５  取出口
５６  制御部
５９  操作部
６０  表示部
【図１】
0003889096.tif 000002
【図２】
0003889096.tif 000003
【図３】
0003889096.tif 000004
【図４】
0003889096.tif 000005
【図５】
0003889096.tif 000006
【図６】
0003889096.tif 000007